(57)【要約】【課題】管理装置と通信を行う設備機器の制御システムが用いる接続情報を設備機器に与える際に、セキュリティを保ちつつ正確な接続情報を与えることができる接続情報付与方法を提供する。【解決手段】管理装置６と通信を行う空気調和装置３の制御コントローラ４に対して、管理装置６にアクセスする際に用いる接続情報を与える接続情報付与方法であって、接続情報に接続名称を付与する第１ステップと、接続名称を介して接続情報を制御コントローラ４に与える第２ステップと、を備える。【選択図】  図４
2004199457.tif 000002
【特許請求の範囲】
【請求項１】
管理装置（６）と通信を行う設備機器（３）の制御システム（４）に対して、前記管理装置（６）にアクセスする際に用いる接続情報を与える接続情報付与方法であって、
前記接続情報に接続名称を付与する第１ステップと、
前記接続名称を介して前記接続情報を前記制御システム（４）に与える第２ステップと、
を備える、接続情報付与方法。
【請求項２】
前記接続情報は、前記管理装置（６）へのアクセスに用いる複数の接続データから構成される、
請求項１に記載の接続情報付与方法。
【請求項３】
管理装置（６）と通信を行う設備機器（３）の制御システム（４）に接続する設定ツール（８）であって、
前記制御システム（４）に接続する接続部（１４）と、
前記制御システム（４）が前記管理装置（６）にアクセスする際に用いる接続情報を接続名称に基づいて記憶する記憶部（１２）と、
前記接続部（１４）により前記接続名称を介して前記接続情報を前記制御システム（４）に与える接続情報付与部（２３）と、
を備える、
設定ツール（８）。
【請求項４】
前記接続情報は、前記管理装置（６）へのアクセスに用いる複数の接続データから構成される、
請求項３に記載の設定ツール（８）。
【請求項５】
前記記憶部（１２）は、複数の前記接続情報を記憶し、
複数の前記接続情報から前記制御システム（４）に与える前記接続情報の選択を前記接続名称により受け付ける接続選択部（２１）をさらに備える、
請求項３又は４に記載の設定ツール（８）。
【請求項６】
前記接続名称を表示し且つ前記接続情報の内容を隠蔽表示可能な表示部（１３）をさらに備える、
請求項３から５のいずれかに記載の設定ツール（８）。
【請求項７】
前記表示部（１３）は、前記接続情報の一部を開示して表示する、
請求項６に記載の設定ツール（８）。
【請求項８】
特定者から前記接続情報の入力を受け付ける接続情報入力受付部（３１）をさらに備える、
請求項３から７のいずれかに記載の設定ツール（８）。
【請求項９】
暗号化された前記接続情報を復号化する復号化部（２２）をさらに備え、
前記記憶部（１２）は、暗号化された前記接続情報を記憶し、
前記接続情報付与部（２２）は、前記復号化部（２２）により復号化された前記接続情報を前記制御システム（４）に与える、
請求項３から８のいずれかに記載の設定ツール（８）。
【請求項１０】
前記接続情報を暗号化する暗号化部（２２）をさらに備える、
請求項９に記載の設定ツール（８）。
【請求項１１】
特定者により接続情報入力受付ツール（１０８）に入力された前記接続情報を取得する接続情報取得部（２４）をさらに備える、
請求項３から７のいずれかに記載の設定ツール（８）。
【請求項１２】
前記接続情報取得部（２４）が取得する前記接続情報が暗号化されており、
暗号化された前記接続情報を復号化する復号化部（２２）をさらに備え、
前記記憶部（１２）は、暗号化された前記接続情報を記憶し、
前記接続情報付与部（２２）は、前記復号化部（２２）により復号化された前記接続情報を前記制御システム（４）に与える、
請求項１１に記載の設定ツール（８）。
【請求項１３】
設備機器（３）の制御システム（４）と通信を行う管理装置（６）であって、
前記制御システム（４）がアクセスする際に用いる接続情報を接続名称に基づいて記憶する管理記憶部（５２）と、
前記制御システム（４）と通信を行う通信部（５４）と、
前記制御システム（４）からアクセスされた際に、前記通信部（５４）により前記接続名称を介して前記接続情報を制御システム（４）に与える管理側接続情報付与部（６２）と、
を備える、
管理装置（６）。
【請求項１４】
前記接続情報は、アクセスに用いられる複数の接続データから構成される、
請求項１３に記載の管理装置（６）。
【請求項１５】
前記管理記憶部（５２）は、複数の前記接続情報を記憶し、
複数の前記接続情報から前記制御システム（４）に与える前記接続情報の選択を前記接続名称により受け付ける管理側接続選択部（６１）をさらに備える、
請求項１３又は１４に記載の管理装置（６）。
【請求項１６】
特定者による前記接続情報の入力を受け付ける管理側接続情報入力受付部（６４）をさらに備える、
請求項１３から１５のいずれかに記載の管理装置（６）。
【請求項１７】
前記制御システム（４）と前記接続情報との対応づけである対応データを記憶する対応記憶部（５２）をさらに備え、
前記管理側接続情報付与部（６２）は、前記対応データに基づいて、アクセスを受けた前記制御システム（４）に応じた前記接続情報を前記制御システム（４）に与える、
請求項１３から１６のいずれかに記載の管理装置（６）。
【発明の詳細な説明】
【０００１】
【発明の属する技術分野】
本発明は、接続情報付与方法、特に設備機器の制御システムに接続情報を与える方法に関する。また、本発明は、設備機器の制御システムに接続情報を与える設定ツール及び管理装置に関する。
【０００２】
【従来の技術】
従来から、ビルや住宅などの建物に設置される設備機器（空気調和装置、照明機器、給湯器など）の監視を行うため、管理装置において、建物に設置された設備機器を一括して監視するシステムが用いられている。この管理装置は、建物から離れた場所に設けられており、設備機器のメーカーや設備機器の保守サービス業者などにより管理される。このようなシステムとしては、特願２００２−１６４０２０号などが挙げられる。
【０００３】
建物に設置される設備機器を管理する場合には、建物に設備機器の制御システムを設置して設備機器の集中制御を行い、この制御システムと管理装置とを通信させることにより、管理装置が設備機器を遠隔監視することが良く行われている。
制御システムを管理装置に通信させるために、制御システムは管理装置へ通信を行うための接続情報を有している必要がある。この接続情報を用いて、制御システムが管理装置へアクセスし、設備機器に関する情報などを管理装置へ送信したり、逆に管理装置から設備機器の制御に関する情報を受信したりする。
【０００４】
制御システムに接続情報を与える手段としては、例えば制御システムの試運転時に制御システムの設定を行う設定ツールにより設定を与えたり、また初期設定などにおいて制御システムが管理装置に初期接続を行った際に管理装置が接続情報を直接与えたりすることが行われる。
【０００５】
【発明が解決しようとする課題】
制御システムの接続情報は、いずれにせよ何らかの手段により人手などを介して接続情報の内容を入力する必要がある。この入力された内容を元にして、例えば設定ツールから制御システムに接続情報の提供がなされる。
接続情報を入力する際に、入力者は必然的にこの接続情報を知ることができる。接続情報を知った者が悪意を有している場合に、この接続情報を利用して何らかの悪用を行うおそれがある。例えば、管理装置が制御システムからのアクセスのみに対応する場合に、それ以外の装置やシステムによりアクセスが行われると、管理装置側にトラブルが生じるおそれがある。また、接続情報がインターネットへ接続を行うプロバイダの設定である場合には、この接続情報を用いてインターネットへアクセスがなされ、悪事が行われるおそれがある。
【０００６】
他方、接続情報を入力する際に入力者が入力ミスをすると、入力ミスされた接続情報を用いる制御システムは、管理装置に通信することができなくなる。接続情報の内容が複雑であったり、接続情報の項目が大量であったりする場合に、入力者が入力ミスを起こしやすいと考えられる。
本発明の課題は、管理装置と通信を行う設備機器の制御システムが用いる接続情報を設備機器に与える際に、セキュリティを保ちつつ正確な接続情報を与えることができる接続情報付与方法を提供することにある。本発明の別課題は、接続情報を入力する際に、セキュリティを保ち、さらに入力が容易となる設備機器の制御システムに接続情報を与える機器（設定ツール及び管理装置）を提供することにある。
【０００７】
【課題を解決するための手段】
請求項１に記載の接続情報付与方法は、管理装置と通信を行う設備機器の制御システムに対して、管理装置にアクセスする際に用いる接続情報を与える接続情報付与方法であって、接続情報に接続名称を付与する第１ステップと、接続名称を介して接続情報を制御システムに与える第２ステップとを備える。
【０００８】
制御システムから管理装置にアクセスを行う場合には、接続情報が必要となる。この接続情報は、設備機器及び制御システムが設置される地域により異なる場合や接続先が変更される場合等がある。このため、接続情報は、制御システムに他の部材から与えられることが多い。
ここでは、接続情報を付与する場合に、接続情報に接続名称を付与し、この接続名称を介して接続情報を制御システムに与える。接続名称を用いることにより接続情報を制御システムへ付与しているため、接続情報の内容が他に知られることなく接続情報を制御システムへ与えることが可能となる。また、接続情報の内容の入力や変更が行われる必要がないため、誤った接続情報を制御システムに与えることを抑えることができる。以上より、この接続情報付与方法により接続情報を制御システムへ与えることで、セキュリティを保ちつつ正確な接続情報を制御システムへ容易に与えることが可能となる。
【０００９】
請求項２に記載の接続情報付与方法は、請求項１に記載の接続情報付与方法であって、接続情報は、管理装置へのアクセスに用いる複数の接続データから構成される。
制御システムから管理装置に通信を行う際に、複数の接続データを必要とする場合がある。例えば、制御システムから電話回線を介して管理装置へアクセスする場合には、管理装置へ接続するための電話番号が最低限必要となる。これに加えて、管理装置との通信を開始する際に、制御システムの認証が必要な場合には、認証名が必要となり、さらにパスワードが必要となる場合もある。また、例えば制御システムからインターネットを介して管理装置へアクセスする場合には、インターネットへの接続を提供するプロバイダへ接続する電話番号、プロバイダでの認証ＩＤ、パスワード、管理装置のＩＰアドレス、管理装置での認証ＩＤ、パスワードなどが必要となる。
【００１０】
ここでは、接続情報が複数の接続データから構成されている。このため、制御システムから管理装置へアクセスする際に複数の接続データが必要な場合にも、アクセスを行うことが可能となる。また、内容が複数の接続データである接続情報を接続名称により扱うため、接続情報に含まれる接続データの数量が変化しても、同様に扱うことが可能となる。さらに、接続情報を接続名称により扱うため、やはり接続情報の内容が知られることなく接続情報を制御システムへ与えることが可能となる。これに加えて、接続情報に含まれる接続データの入力や変更が行われることなく制御システムへ接続情報を付与することが可能である。このため、１個の接続情報における接続データの個数が大量である場合にも、接続情報の内容の誤りが発生することを抑えられ、誤った接続情報を制御システムに与えることを抑えることができる。よって、セキュリティを保ちつつ正確な接続情報を制御システムへ与えることがより確実に行える。
【００１１】
請求項３に記載の設定ツールは、管理装置と通信を行う設備機器の制御システムに接続する設定ツールであって、接続部、記憶部、及び接続情報付与部を備える。接続部は、制御システムに接続する。記憶部は、制御システムが管理装置にアクセスする際に用いる接続情報を接続名称に基づいて記憶する。接続情報付与部は、接続部により接続名称を介して接続情報を制御システムに与える。
【００１２】
設定ツールは、制御システムの初期設定を行う際に用いる。初期設定の内容としては、設備機器と制御システムとの接続に関する設定などである。また、設定ツールは、制御システムの設定を変更する際にも用いられる。
ここでは、接続情報を制御システムに与える際に、設定ツールは、接続名称を介して接続情報を与える。接続情報は、設定ツールの記憶部に記憶されており、接続名称に基づいて記憶されている。そして、接続名称を用いて接続情報を制御システムに付与しているため、接続情報の内容が他に知られることが抑えられる。また、接続情報の内容の入力や変更を行う必要がないため、誤った接続情報を制御システムに与えるおそれを抑えることができる。以上より、セキュリティを保ちつつ正確な接続情報を制御システムへ容易に与えることが可能となる。
【００１３】
請求項４に記載の設定ツールは、請求項３に記載の設定ツールであって、接続情報が管理装置へのアクセスに用いる複数の接続データから構成される。
制御システムから管理装置に通信を行う際に、複数の接続データを必要とする場合がある。例えば、制御システムから電話回線を介して管理装置へアクセスする場合には、管理装置へ接続するための電話番号が最低限必要となる。これに加えて、管理装置との通信を開始する際に、制御システムの認証が必要な場合には、認証名が必要となり、さらにパスワードが必要となる場合もある。また、例えば制御システムからインターネットを介して管理装置へアクセスする場合には、インターネットへの接続を提供するプロバイダへ接続する電話番号、プロバイダでの認証ＩＤ、パスワード、管理装置のＩＰアドレス、管理装置での認証ＩＤ、パスワードなどが必要となる。
【００１４】
ここでは、接続情報が複数の接続データから構成されている。このため、制御システムから管理装置へアクセスする際に複数の接続データが必要な場合にも、アクセスを行うことが可能となる。また、内容が複数の接続データである接続情報を接続名称により扱うため、接続情報に含まれる接続データの数量が変化しても、同様に扱うことが可能となる。さらに、接続情報を接続名称により扱うため、やはり接続情報の内容が知られることなく接続情報を制御システムへ与えることが可能となる。これに加えて、接続情報に含まれる接続データの入力や変更が行われることなく制御システムへ接続情報を付与することが可能である。このため、１個の接続情報における接続データの個数が大量である場合にも、接続情報の内容の誤りが発生することを抑えられ、誤った接続情報を制御システムに与えることを抑えることができる。よって、セキュリティを保ちつつ正確な接続情報を制御システムへ与えることがより確実に行える。
【００１５】
請求項５に記載の設定ツールは、請求項３又は４に記載の設定ツールであって、記憶部が複数の接続情報を記憶する。また、複数の接続情報から制御システムに与える接続情報の選択を接続名称により受け付ける接続選択部をさらに備える。
制御システムから管理装置へ接続を行う際に、複数の接続手段や接続ルートが用意されていることがある。このような場合には、設備機器及び制御システムが設置される地域に応じたより良い接続手段を設定することが好ましい。
【００１６】
ここでは、設定ツールの記憶部が複数の接続情報を記憶しており、さらに複数の接続情報のうちから制御システムから管理装置へのアクセスに用いる接続情報の選択を設定ツールの接続選択部において受け付ける。これにより、制御システムから管理装置にアクセスする際に、接続選択部が複数の接続情報から適切なものを受け付けることが可能となる。また、接続名称により複数の接続情報から選択を受け付けるため、接続情報の内容を公開せずに接続情報の選択を受け付けることができる。さらに、接続情報の内容の入力や変更を受け付けないため、誤った接続情報が選択されることを避けることができる。以上より、制御システムに対して、セキュリティを保ちつつ正確且つ制御システムに相応しい接続情報を与えることができる。
【００１７】
請求項６に記載の設定ツールは、請求項３から５のいずれかに記載の設定ツールであって、接続名称を表示し且つ接続情報の内容を隠蔽表示可能な表示部をさらに備える。
ここでは、接続情報の内容を隠蔽して表示することが可能な表示部を備えている。これにより、設定ツールから制御システムに与える接続情報が接続名称により明らかになると共に、接続情報の内容が公開されないため接続情報の詳細内容を秘密のまま保つことが可能となる。これにより、セキュリティを保ちつつ接続情報を制御システムに与えることが可能となる。
【００１８】
請求項７に記載の設定ツールは、請求項６に記載の設定ツールであって、表示部が接続情報の一部を開示して表示する。
接続情報は、接続名称だけではその内容が分からない場合がある。この場合には、不適切な接続情報を制御システムに与えるおそれがある。
ここでは、表示部が接続情報の内容の一部を開示して表示する。接続情報の開示される内容は、接続情報のセキュリティを保つことができ、且つ適切な接続情報であることが分かる程度の内容である。これにより、不適切な接続情報を制御システムに与えるおそれを抑えることができる。また、接続情報の一部の修正が必要な場合には、要修正部分を公開することにより、適切に修正されることが期待される。
【００１９】
例としては、接続情報を複数から選択可能である場合に、接続情報に含まれる電話番号の市外局番を表示することにより、制御システムの場所に適切な接続情報を選択させることが可能となる。
また、他の例としては、制御システムが内線電話回線に接続されており、外線へ接続する際に０発信を行うが、接続情報の電話番号の先頭部分に「０」が付加されていない場合がある。このような場合に、電話番号の先頭部分を表示することにより、接続情報の電話番号の先頭に「０」を付加して適切な接続情報に修正させることが可能となる。
【００２０】
請求項８に記載の設定ツールは、請求項３から７のいずれかに記載の設定ツールであって、特定者から接続情報の入力を受け付ける接続情報入力受付部をさらに備える。
設定ツールの記憶部が記憶する接続情報は、何らかの手段により入力される必要がある。
【００２１】
ここでは、特定者から接続情報が接続情報入力受付部に入力される。特定者は、接続情報の内容を知ることが許されている特別な人物である。なお、設定ツールは、特定者に限らず使用される可能性があるものである。
このため、記憶部が記憶する接続情報が特定者により入力された内容に限定される。これにより、特定者が正確な接続情報を入力することにより、設定ツールから制御システムに与えられる接続情報は、誤った接続情報が含まれるおそれが抑えられる。
【００２２】
請求項９に記載の設定ツールは、請求項３から８のいずれかに記載の設定ツールであって、暗号化された接続情報を復号化する復号化部をさらに備える。また、記憶部は、暗号化された接続情報を記憶する。接続情報付与部は、復号化部により復号化された接続情報を制御システムに与える。
設定ツールの記憶部に記憶される接続情報の悪用を目論む者は、接続情報の内容が表示されなくても、接続情報自体を取得（窃盗）して接続情報の内容を知ろうとする可能性がある。接続情報が平文（暗号化されない通常の文）として記憶部に記憶されていると、接続情報自体を取得された場合に容易に接続情報の内容が知られることになる。
【００２３】
ここでは、記憶部が暗号化された接続情報を記憶する。これにより、記憶部に記憶される接続情報自体を取得された場合にも、暗号化されている接続情報を復号化部により復号化（解読）されなければ接続情報の内容を知られない。これにより、セキュリティを十分高く保つことができる。
請求項１０に記載の設定ツールは、請求項９に記載の設定ツールであって、接続情報を暗号化する暗号化部をさらに備える。
【００２４】
ここでは、接続情報を暗号化する暗号化部をさらに備えるため、接続情報を暗号化して記憶部に記憶させることが可能となる。これにより、平文の接続情報を確実に暗号化して記憶部に記憶させることができるため、セキュリティをより高く保つことができる。
例えば、設定ツール以外から提供された平文の接続情報を暗号化して記憶部に記憶させることができる。また、請求項８に記載の接続情報入力受付部において特定者により入力された接続情報を暗号化して記憶部に記憶させることができる。
【００２５】
請求項１１に記載の設定ツールは、請求項３から７のいずれかに記載の設定ツールであって、接続情報を取得する接続情報取得部をさらに備える。接続情報は、特定者により接続情報入力受付ツールに入力される。
ここでは、特定者から接続情報が設定ツールと異なる接続情報入力受付ツールに入力される。特定者は、接続情報の内容を知ることが許されている特別な人物である。設定ツールは、接続情報入力受付ツールに入力された接続情報を接続情報取得部において取得する。このため、設定ツールの記憶部が記憶する接続情報が接続情報入力受付ツールにおいて特定者により入力された内容に限定される。これにより、特定者が正確な接続情報を入力することにより、設定ツールから制御システムに与えられる接続情報は、誤った接続情報が含まれるおそれが抑えられる。
【００２６】
なお、設定ツール及び接続情報入力受付ツールがそれぞれプログラムであり、同一のコンピュータにおいてこれらのプログラムを実行する、としてもよい。
請求項１２に記載の設定ツールは、請求項１１に記載の設定ツールであって、接続情報取得部が取得する接続情報が暗号化されている。設定ツールは、暗号化された接続情報を復号化する復号化部をさらに備えている。また、記憶部は、暗号化された接続情報を記憶する。さらに、接続情報付与部は、復号化部により復号化された接続情報を制御システムに与える。
【００２７】
設定ツールの記憶部に記憶される接続情報の悪用を目論む者は、接続情報の内容が表示されなくても、接続情報自体を取得（窃盗）して接続情報の内容を知ろうとする可能性がある。接続情報が平文（暗号化されない通常の文）として記憶部に記憶されていると、接続情報自体を取得された場合に容易に接続情報の内容が知られることになる。
【００２８】
ここでは、接続情報取得部において設定ツールが接続情報入力受付ツールから取得する接続情報が暗号化されている。このため、設定ツールの記憶部に記憶される接続情報も暗号化される。よって、接続情報自体を取得された場合にも、暗号化されている接続情報を復号化部により復号化（解読）されなければ接続情報の内容を知られない。これにより、セキュリティを十分高く保つことができる。
【００２９】
請求項１３に記載の管理装置は、設備機器の制御システムと通信を行う管理装置であって、管理記憶部、通信部、及び管理側接続情報付与部を備える。管理記憶部は、制御システムがアクセスする際に用いる接続情報を接続名称に基づいて記憶する。通信部は、制御システムと通信を行う。管理側接続情報付与部は、制御システムからアクセスされた際に、通信部により接続名称を介して接続情報を制御システムに与える。
【００３０】
管理装置は、制御システムから得られる設備機器の情報に基づいて、設備機器を遠隔監視する装置である。制御システムは、設定ツールや他の部材から与えられた接続情報、又は制御システム自身が当初より記憶している初期の接続情報などを用いることにより、管理装置へアクセスを行う。
ここでは、接続情報を制御システムに与える際に、管理装置は、接続名称を介して接続情報を与える。接続情報は、管理装置の管理記憶部に記憶されており、接続名称に基づいて記憶されている。接続情報を用いて接続情報を制御システムに付与しているため、接続情報の内容が他に知られることなく接続情報を制御システムへ与えることが可能となる。また、接続情報の内容の入力や変更が行われる必要がないため、誤った接続情報を制御システムに与えるおそれを抑えることができる。以上より、セキュリティを保ちつつ正確な接続情報を制御システムへ容易に与えることが可能となる。
【００３１】
請求項１４に記載の管理装置は、請求項１１に記載の管理装置であって、接続情報がアクセスに用いられる複数の接続データから構成される。
制御システムから管理装置に通信を行う際に、複数の接続データを必要とする場合がある。例えば、制御システムから電話回線を介して管理装置へアクセスする場合には、管理装置へ接続するための電話番号が最低限必要となる。これに加えて、管理装置との通信を開始する際に、制御システムの認証が必要な場合には、認証名が必要となり、さらにパスワードが必要となる場合もある。また、例えば制御システムからインターネットを介して管理装置へアクセスする場合には、インターネットへの接続を提供するプロバイダへ接続する電話番号、プロバイダでの認証ＩＤ、パスワード、管理装置のＩＰアドレス、管理装置での認証ＩＤ、パスワードなどが必要となる。
【００３２】
ここでは、接続情報が複数の接続データから構成されている。このため、制御システムから管理装置へアクセスする際に複数の接続データが必要な場合にも、アクセスを行うことが可能となる。また、内容が複数の接続データである接続情報を接続名称により扱うため、接続情報に含まれる接続データの数量が変化しても、同様に扱うことが可能となる。さらに、接続情報を接続名称により扱うため、やはり接続情報の内容が知られることなく接続情報を制御システムへ与えることが可能となる。これに加えて、接続情報に含まれる接続データの入力や変更が行われることなく制御システムへ接続情報を付与することが可能である。このため、１個の接続情報における接続データの個数が大量である場合にも、接続情報の内容の誤りが発生することを抑えられ、誤った接続情報を制御システムに与えることを抑えることができる。よって、セキュリティを保ちつつ正確な接続情報を制御システムへ与えることがより確実に行える。
【００３３】
請求項１５に記載の管理装置は、請求項１１又は１２に記載の管理装置であって、管理記憶部が複数の接続情報を記憶する。また、複数の接続情報から制御システムに与える接続情報の選択を接続名称により受け付ける管理側接続選択部をさらに備える。
制御システムから管理装置へ接続を行う際に、複数の接続手段や接続ルートが用意されていることがある。このような場合には、設備機器及び制御システムが設置される地域に応じたより良い接続手段を設定することが好ましい。
【００３４】
ここでは、管理装置の管理記憶部が複数の接続情報を記憶しており、さらに複数の接続情報のうちから制御システムから管理装置へのアクセスに用いる接続情報の選択を管理装置の管理側接続選択部において受け付ける。これにより、制御システムから管理装置にアクセスする際に、接続選択部が複数の接続情報から適切なものを受け付けることが可能となる。また、接続名称により複数の接続情報から選択を受け付けるため、接続情報の内容を公開せずに接続情報の選択を受け付けることができる。さらに、接続情報の内容の入力や変更を受け付けないため、誤った接続情報が選択されることを避けることができる。以上より、セキュリティを保ちつつ正確且つ制御システムに相応しい接続情報を制御システムに与えることができる。
【００３５】
請求項１６に記載の管理装置は、請求項１１から１３のいずれかに記載の管理装置であって、特定者による接続情報の入力を受け付ける管理側接続情報入力受付部をさらに備える。
管理装置の管理記憶部が記憶する接続情報は、何らかの手段により入力される必要がある。
【００３６】
ここでは、特定者により接続情報が管理側接続情報入力受付部に入力される。特定者は、接続情報の内容を知ることが許されている特別な人物である。逆に、接続情報入力受付部は、特定者以外による接続情報の入力を受け付けない。
このため、記憶部が記憶する接続情報は、特定者により入力された情報のみとなる。これにより、特定者が正確な接続情報を入力することにより、管理装置から制御システムに与えられる接続情報は、誤った接続情報が含まれるおそれが抑えられる。
【００３７】
請求項１７に記載の管理装置は、請求項１１から１４のいずれかに記載の管理装置であって、制御システムと接続情報との対応づけである対応データを記憶する対応記憶部をさらに備える。また、管理側接続情報付与部は、対応データに基づいて、アクセスを受けた制御システムに応じた接続情報を制御システムに与える。
【００３８】
制御システムは、その設置場所などに応じて相応しい接続情報により管理装置へアクセスすることが好ましい。例えば、電話回線によりアクセスを行う場合には、制御システムの設置場所に最も近い電話番号へアクセスすることにより電話料金が抑えられる。
ここでは、対応記憶部が制御システムに対する接続情報の対応付けである対応データを記憶する。これにより、対応データに基づいて制御システムに応じた適切な制御情報を与えることが可能となる。
【００３９】
なお、対応データは、制御システムに関する情報に基づいて自動的に設定されたり、特定者により入力設定されたりしてもよい。また、対応データは、制御システムに対して、接続情報の内容を記憶していても、接続名称を記憶していてもよい。
【００４０】
【発明の実施の形態】
本発明に係る空気調和装置の管理システム１について図１に示す。
管理システム１は、物件２の内部を空気調和する複数の空気調和装置３を制御コントローラ４で制御すると共に、遠隔監視センタ５に設置される管理装置６で空気調和装置３を遠隔監視するシステムである。なお、管理システム１の管理の対象は、物件２に設置される空気調和装置３に限られず、その他物件２に設置される照明機器や給湯機器などの設備機器を管理可能であるとしても良い。
【００４１】
管理装置６と制御コントローラ４とは公衆回線７により接続されている。制御コントローラ４には、初期設定を行うための設定ツール８が接続可能である。
＜全体の構成＞
管理システム１は、主として空気調和装置３、制御コントローラ４、管理装置６、及び設定ツール８から構成される。
【００４２】
空気調和装置３は、ビルや工場などの物件２に複数配置され、室内の空気調和を行う。
制御コントローラ４は、複数の空気調和装置３と通信線により接続されており、それぞれの空気調和装置３に対する制御の設定値を設定して集中制御を行う。制御コントローラ４は、空気調和装置３が配置される物件２の管理室などに配置される。また、制御コントローラ４は、公衆回線７及びプロバイダにより提供されるインターネットを介して管理装置６に接続されており、それぞれの空気調和装置３の運転データを管理装置６へと送信する。運転データは、所定時間毎、例えば１分ごとに検出され、制御コントローラ４に蓄積される。そして、制御コントローラ４は、管理装置６へアクセスして、蓄積された運転データを例えば１日毎に纏めて送信する。
【００４３】
管理装置６は、複数の物件２に設置されている制御コントローラ４に接続された複数の空気調和装置３の遠隔監視を行う装置であり、空気調和装置３が配置された物件２から離れた遠隔監視センタ５内に配置される。管理装置６は、例えばサーバである。
設定ツール８は、制御コントローラ４に接続することにより制御コントローラ４の設定を行う。設定ツール８は、空気調和装置３や制御コントローラ４の保守を行う担当者などが用いる。設定ツール８としては、持ち運び可能な端末機器（ノートパソコン、ＰＤＡなど）と端末機器にインストールされた設定プログラムとが用いられる。設定ツール８により行う制御コントローラ４の設定内容としては、空気調和装置３と制御コントローラ４との接続に関する設定などである。また、設定ツール８は、制御コントローラ４の設定を変更する際にも用いられる。
【００４４】
以下では、管理装置６及び設定ツール８から制御コントローラ４に付与される、制御コントローラ４から管理装置６へのアクセスに関する設定に関する説明を行う。
＜設定ツールから制御コントローラへの初期回線情報付与＞
制御コントローラ４から管理装置６へのアクセスに関する設定は、まず設定ツール８から初期回線情報が付与される。さらに、制御コントローラ４が管理装置６にアクセスした際に、管理装置６から複数の（本実施形態では３通りの）回線情報が付与される。
【００４５】
アクセスに関する設定である接続情報（初期回線情報及び回線情報）の内容である接続データは、図２に示すように、プロバイダのアクセスポイントへの電話番号、プロバイダへのログインユーザ名及びログインパスワード、プロバイダのプライマリＤＮＳ及びセカンダリＤＮＳのＩＰアドレス（ＤＮＳのＩＰアドレスは不要な場合あり）である。接続情報は、一義的な回線名称により指定することが可能となっている。また、それぞれの制御コントローラ４における共通属性である、管理装置６のＵＲＬ、管理装置６へのログインユーザ名、及びログインパスワードもアクセスの際に必要な設定である。
【００４６】
設定ツール８における制御コントローラ４への初期回線情報の付与に関する構成を説明する。
設定ツール８は、図３に示すように、入力部１１、記憶部１２、表示部１３、接続部１４、及び制御部１５を有する。入力部１１は、設定ツール８の利用者からの入力を受け付ける、例えばキーボード、マウス、トラックパッドなどである。記憶部１２は、制御コントローラ４に行う設定などを記憶する。記憶部１２は、初期回線情報を複数記憶する。記憶部１２に記憶される初期回線情報は、暗号化されている。暗号化には、例えばＤＥＳ暗号が用いられている。表示部１３は、設定ツール８の操作内容を表示するものであり、例えばノートパソコンのディスプレイなどである。接続部１４は、設定ツール８と制御コントローラ４とを接続する。制御部１５は、設定ツール８の制御を司る。また制御部１５は、設定プログラムを実行することにより、入力部１１における選択結果に基づいて、制御コントローラ４へ送る初期回線情報を決定することが可能である。
【００４７】
制御部１５は、選択受付部２１、復号化部２２、情報付与部２３、及び情報取得手段２４を有する。また、実行する設定プログラムにより、制御部１５は、入力受付部３１及び暗号化部３２をさらに有することが可能となっている。選択受付部２１は、設定ツール８の利用者により入力部１１で選択された初期回線情報の選択を受け付ける。復号化部２２は、記憶部１２に記憶される暗号化された初期回線情報を解読して初期回線情報の接続データを平文にする。情報付与部２３は、選択受付部２１で選択された初期回線情報を接続部１４から制御コントローラ４へと与える。情報取得手段２４は、初期回線情報を記憶部１２や外部から取得する。入力受付部３１は、設定ツール８の利用者により入力部１１で入力された新規の初期回線情報の接続データの入力を受け付ける。暗号化部３２は、入力受付部３１で受け付けた新規の初期回線情報の接続データを暗号化し、記憶部１２に記憶させる。
【００４８】
〔設定ツールによる初期回線情報の付与〕
以下では、設定ツール８において、記憶部１２に記憶されている初期回線情報の選択を受け付けて、制御コントローラ４へ初期回線情報を付与する手順を、図４に記載のフローチャートに基づいて説明する。
まず、ステップＳ１において、記憶部１２に暗号化されて記憶されている初期回線情報を情報取得手段２４により取得する。
【００４９】
続いて、ステップＳ２では、初期回線情報を復号化部２２により解読する。
ステップＳ３では、設定ツール８のメイン画面を表示部１３に表示する。
ステップＳ４では、各ボタンがクリックされたか否かを判定する。ここで、「ＮＳＣ回線設定」ボタンがクリックされると、ステップＳ５へ移行する。他のボタンがクリックされた場合については省略する。
【００５０】
ステップＳ５では、回線情報詳細設定画面４２（図５参照）を表示部１３に表示する。ここで、回線名称と、電話番号の先頭５文字分を除き、初期回線情報の接続データは、アスタリスク表示により隠蔽表示される。共通属性である管理装置６のＵＲＬ（「センターＵＲＬ」と記載）、管理装置６へのログインユーザ名、及びログインパスワードもアスタリスク表示により隠蔽表示される。
【００５１】
ステップＳ６では、初期回線情報の設定を選択受付部２１が受け付ける。回線名称の部分のクリックにより、ステップＳ２で解読された複数の初期回線情報から選択されることにより設定を受け付ける。すなわち、回線名称により初期回線情報の選択が可能である。また、例えば制御コントローラ４が内線に接続されているため、公衆回線７への接続を行う際に外線発信番号が設定される必要がある場合には、電話番号フィールドの前に設けられた「外線発信番号」フィールドにおいて、外線発信番号の入力の受付を行う。さらに、設定ツール８の利用者が初期回線情報の接続データを知っている場合には、初期回線情報の接続データが表示されているそれぞれの表示フィールドにおいて直接入力を受け付けることも可能である。
【００５２】
ステップＳ７では、回線情報詳細設定画面４２の「ＯＫ」ボタンがクリックされたか否かを判定する。クリックされた場合にはステップＳ７へ移行する。クリックされなかった場合には、ステップＳ５に復帰する。
ステップＳ８では、情報付与部２３が接続部１４を介して、ステップＳ５で設定された初期回線情報を制御コントローラ４に与える。初期回線情報を制御コントローラ４に付与した後に、ステップＳ２へ復帰する。
【００５３】
〔設定ツールにおける初期回線情報の設定入力〕
設定ツール８の記憶部１２に暗号化されて記憶される初期回線情報は、他から何らかの手段により提供されるか、又は設定ツール８において設定者が設定入力を行う必要がある。
ここでは、設定ツール８において設定者により設定入力を受け付ける手順について図６に記載のフローチャートに基づいて説明する。ただし、設定者が入力する初期回線情報の接続データのセキュリティ面及び接続データの正確度を保つため、初期回線情報の入力が行える設定者は限定されているものとする。なお、設定入力された初期回線情報を、何らかの手段（例えばフレキシブルディスクやＩＣメモリなどの可搬記憶部材での搬送やネットワークからのダウンロードなど）により他の設定ツール８に提供することも可能であるとする。
【００５４】
まず、ステップＳ１１では、暗号化された初期回線情報が記憶部１２に記憶されているか否かを判定する。記憶されている場合にはステップＳ１２へ移行し、記憶されていない場合にはステップＳ１３へ移行する。
ステップＳ１２では、記憶部１２に記憶されている初期回線情報を復号化部２２により復号化する。
【００５５】
ステップＳ１３では、設定入力メイン画面４３（図７参照）を表示部１３に表示する。ここで、初期回線情報は、回線名称の部分をクリックすることにより選択可能となっている。また、設定入力メイン画面４３では、共通属性である管理装置６のＵＲＬ（「ＮＳＣ  ＵＲＬ」と記載）、管理装置６へのログインユーザ名（「Ｌｏｇｉｎ  Ｕｓｅｒ  Ｎａｍｅ」と記載）及びログインパスワード（「Ｌｏｇｉｎ  Ｐａｓｓｗｏｒｄ」と記載）に関する入力も可能である。
【００５６】
ステップＳ１４では、各ボタンがクリックされたか否かを判定する。ここで「Ａｄｄ」ボタン又は「Ｃｈａｎｇｅ」ボタンがクリックされると、ステップＳ１５へ移行する。また、「Ｄｅｌｅｔｅ」ボタンがクリックされると、ステップＳ１９へ移行する。さらに、「ＯＫ」ボタンがクリックされると、ステップＳ２０へ移行する。その他のボタンがクリックされた場合については省略する。
【００５７】
ステップＳ１５では、設定入力画面４４（図８参照）を表示部１３に表示する。ステップＳ１４で「Ａｄｄ」ボタンがクリックされた場合には、各フィールドの内容は空であるため、各フィールドの内容が表示されない。ステップＳ１４で「Ｃｈａｎｇｅ」ボタンがクリックされた場合には、ステップＳ１３で選択されていた回線名称に対応する初期回線情報の接続データが各フィールドに表示される。
【００５８】
ステップＳ１６では、入力受付部３１が各フィールドの設定入力を入力部１１で受け付ける。
ステップＳ１７では、「ＯＫ」ボタンがクリックされたか否かを判定する。クリックされた場合にはステップＳ１８に移行する。クリックされなかった場合には、ステップＳ１６に復帰する。
【００５９】
ステップＳ１８では、ステップＳ１６で入力された初期回線情報を記憶する。その後に、ステップＳ１３へ復帰する。
ステップＳ１９では、ステップＳ１３で選択されていた回線名称に対応する初期回線情報を削除する。その後に、ステップＳ１３へ復帰する。
ステップＳ２０では、初期回線情報の接続データに異常な値が入力されていたり欠落が生じていたりしないか、チェックを行う。また、共通属性である、管理装置６のＵＲＬ、管理装置６へのログインユーザ名及びログインパスワードの接続データの内容に関するチェックも行う。チェックにより問題が確認された場合には、エラー表示を行った後にステップＳ１３へ復帰する。チェックにより問題が確認されなかった場合には、ステップＳ２１へ移行する。
【００６０】
ステップＳ２１では、初期回線情報を記憶部１２に記憶させるか否か受け付ける。記憶させる旨の入力を受けた場合にはステップＳ２２へ移行する。記憶させない旨の入力を受けた場合には、ステップＳ１３へ復帰する。
ステップＳ２２では、全ての初期回線情報を暗号化部３２により暗号化し、記憶部１２に記憶させる。この後にこの手順を終了する。
【００６１】
＜管理装置から制御コントローラへの回線情報の付与＞
以上により初期回線情報を与えられた制御コントローラ４は、公衆回線７を介して管理装置６へアクセスする。アクセスを受けた管理装置６は、初期回線情報におけるログインユーザ名により、制御コントローラ４の個体認証を行う。ここで、制御コントローラ４からの最初のアクセスである場合には、管理装置６が３通りの回線情報を制御コントローラ４に与える。これにより、適切であり且つ最新の回線情報を制御コントローラ４に与えることが可能となる。
【００６２】
なお、制御コントローラ４に対して、より適切な回線設定が用意される場合には、管理装置６への最初のアクセス以外においても、管理装置６から制御コントローラ４へ回線情報を与えるようにしても良い。
以下では、管理装置６における制御コントローラ４への回線情報の付与に関する構成を説明する。
【００６３】
管理装置６は、図９に記載されるように、入力部５１、記憶部５２、表示部５３、通信部５４、及び制御部５５を有する。入力部は、管理装置６の管理者などからの入力を受け付ける。記憶部５２は、空気調和装置３の管理に関する情報を記憶する。記憶部５２は、例えばハードディスクなどである。また、記憶部５２は、回線情報を複数記憶する。さらに記憶部５２は、複数の制御コントローラ４のそれぞれに対する回線設定である対応情報を記憶する。表示部５３は、管理装置６の状態などを表示するものである。通信部５４は、公衆回線７を介して制御コントローラ４からのアクセスを受け付ける。通信部５４は、制御コントローラ４から空気調和装置３の蓄積された運転データなどを受信し、記憶部５２に記憶させる。制御部５５は、管理装置６の制御を司る。
【００６４】
制御部５５は、選択受付部６１、情報付与部６２、認証部６３、入力受付部６４を有する。選択受付部６１は、管理装置６の管理者などにより入力部５１で選択された回線設定の選択を受け付ける。ここで選択受付部６１は、それぞれの制御コントローラ４に対して回線設定の選択を受け付けることができる。これにより、複数の制御コントローラ４のそれぞれに対して好ましい回線設定を与えることが可能となる。選択を受け付けた選択受付部６１は、記憶部５２に対応情報として記憶させる。情報付与部６２は、対応情報に基づいて、通信部５４にアクセスする制御コントローラ４へ回線情報を与える。認証部６３は、管理装置６を操作する管理者などの認証を行う。この認証により、回線情報の追加の可否を設定する。入力受付部６４は、管理装置６の管理者などのうち認証により回線情報の追加が可能な者に対し、入力部５１から回線情報の追加を受け付ける。
【００６５】
〔管理装置における制御コントローラに対する回線情報の選択〕
以下では、管理装置６において、記憶部５２に記憶されている回線情報の選択を受け付ける手順を、図１０に記載のフローチャートに基づいて説明する。
ステップＳ３１では、回線情報の選択を行う対象となる制御コントローラ４の選択を受け付ける。
【００６６】
ステップＳ３２では、ステップＳ３１で受け付けた制御コントローラ４の対応情報を記憶部５２から読み出す。
ステップＳ３３では、編集画面７１（図１１参照）を表示部５３に表示する。制御コントローラ４を特定する情報として、特定情報（「ＬＣ−Ｎｏ．」と記載）が表示されている。ここで、ステップＳ３２で読み出した対応情報に基づいて、回線情報の表示が行われる。ステップＳ３１で選択された制御コントローラ４に対応する対応情報がない場合には、各フィールドの内容が表示されない。また、回線情報（「回線設定」と記載）、個々の制御コントローラ４における共通属性（「センターアクセス設定」と記載）、管理装置６にいつアクセスして運転データ等を送信するかの設定（「日報送信時刻」と記載）について表示される。このうち、回線情報には、３通りの設定について表示されている。また、回線情報には、内容である接続データが表示されずに回線名称（「回線登録名」と記載）のみが表示される。この回線名称の部分には、無効となっている回線情報が登録されている場合に「無効」との表示が追加される（回線情報の有効／無効に関しては後述する。）。さらに、回線情報のそれぞれの設定には、表示された回線名称に該当する回線情報が有効となる日付が記載される。
【００６７】
ステップＳ３４では、選択受付部６１が回線情報の選択を入力部５１から受け付ける。回線名称が記載されている部分をクリックすることにより、記憶部５２に記憶されている複数の回線情報の名称が表示される。これにより、他の回線情報を回線名称により選択することが可能となる。
ステップＳ３５では、「登録」ボタンがクリックされたか否かを判定する。クリックされた場合には、ステップＳ３６へ移行する。クリックされなかった場合には、ステップＳ３４へ復帰する。
【００６８】
ステップＳ３６では、ステップＳ３４で選択された変更に基づいて対応情報を変更し、終了する。
〔管理装置における回線情報の設定入力〕
次に、管理装置６において、記憶部５２に回線情報を新規に登録する、又は記憶部５２に記憶されている回線情報を無効又は有効にする手順を、図１２に記載のフローチャートに基づいて説明する。
【００６９】
ステップＳ４１では、認証部６３が管理装置６の利用者の認証を行う。すなわち、利用者が回線情報を新規に登録可能である権限のログインユーザ名でログインしているか否かを判定する。ここで、権限がないログインユーザ名で利用者がログインしている場合には、その旨を表示して終了する。権限を有するログインユーザ名で利用者がログインしている場合には、ステップＳ４２へ移行する。
【００７０】
ステップＳ４２では、情報表示画面７２（図１３参照）を表示部５３に表示する。情報表示画面７２は、回線名称と、回線情報に含まれる電話番号とを、表示順序の数値の昇順に従って表示する。また、回線情報の有効／無効についても表示する。
ステップＳ４３では、各ボタンがクリックされたか否かを判定する。ここで、「新規登録」ボタンがクリックされると、ステップＳ４４へ移行する。また、「設定」ボタンのいずれかがクリックされると、ステップＳ４７へ移行する。
【００７１】
ステップＳ４４では、新規登録画面７３（図１４参照）を表示部５３に表示する。また、新規の回線情報を受け付けるフィールドを表示する。
ステップＳ４５では、入力受付部６４が回線情報を入力部５１で受け付ける。ここでは、回線情報として、回線名称（「回線登録名」と記載）、プロバイダのアクセスポイントへの電話番号、プロバイダへのログインユーザ名（「ＰＰＰユーザ」と記載）及びログインパスワード（「ＰＰＰパスワード」と記載）、プロバイダのプライマリＤＮＳのＩＰアドレス（「ＤＮＳプライマリサーバ」と記載）及びセカンダリＤＮＳ（「ＤＮＳセカンダリサーバ」と記載）のＩＰアドレスの入力を受け付ける。また、回線情報の表示順序についても入力を受け付ける。
【００７２】
ステップＳ４６では、「登録」ボタンがクリックされたか否か判定を行う。「登録」ボタンがクリックされなかった場合には、ステップＳ４５へ復帰する。「登録」ボタンがクリックされた場合には、ステップＳ４２へ復帰する。
ステップＳ４７では、回線設定画面７４（図１５参照）を表示部５３に表示する。ここでは、ステップＳ４３でクリックされた「設定」ボタンに関連する回線情報の回線名称、電話番号、プロバイダへのログインユーザ名及びパスワード、プロバイダのプライマリＤＮＳ及びセカンダリＤＮＳのＩＰアドレスについて表示する。また、表示順序及び回線情報の有効／無効（「状態」と表示）についても表示する。  記憶部５２に記憶される回線情報は、誤消去回避のために消去できない設定となっている。このため、回線情報が古くなり無効な情報となった場合や回線情報を誤入力された場合には、回線情報を無効に設定されることにより、編集画面７１（図１１参照）において選択できないようにしている。無効の回線情報が対応情報に含まれている場合には、編集画面７１において回線名称に「（無効）」と表示される。
【００７３】
ステップＳ４８では、表示順序及び回線情報の有効／無効についてのみ入力を受け付ける。
ステップＳ４９では、「登録」ボタンがクリックされたか否かを判定する。「登録」ボタンがクリックされなかった場合には、ステップＳ４７へ復帰する。「登録」ボタンがクリックされた場合には、ステップＳ４２へ復帰する。
【００７４】
ステップＳ５０では、「無効」チェックが付けられているか否かを判定する。「無効」チェックが付けられていない場合には、ステップＳ５１へ移行する。「無効」チェックが付けられている場合には、ステップＳ５２へ移行する。
ステップＳ５１では、ステップＳ４７で表示した回線情報が有効であるとして記憶部５２に記憶する。その後にステップＳ４２に復帰する。
【００７５】
ステップＳ５２では、ステップＳ４７で表示した回線情報が無効であるとして記憶部５２に記憶する。その後にステップＳ４２に復帰する。
＜制御コントローラの初期アクセス＞
制御コントローラ４から管理装置６に初期アクセスを行い、管理装置６から回線情報を受け取るまでの手順について、図１６（ａ）に記載の図に基づいて説明を行う。
【００７６】
まず、ステップＳ６１として、ステップＳ１からＳ７で説明した手順により、設定ツール８から制御コントローラ４に初期回線情報を与える。
続いて、ステップＳ６２で、制御コントローラ４が初期回線情報を用いて管理装置６にアクセスを行う。この際には、まず初期回線情報に含まれるプロバイダのアクセスポイントに公衆回線７を介して電話を行う。続いて、プロバイダのログインユーザ名及びログインパスワードを用いてプロバイダにログインする。さらに、管理装置６のＵＲＬにより管理装置６へアクセスを行う。管理装置６へのアクセスの際には、管理装置６のログインユーザ名及びログインパスワードを用いて管理装置６にログインする。
【００７７】
ステップＳ６３では、管理装置６が記憶部５２の対応情報に基づいて、アクセスしてきた制御コントローラ４に対応する回線情報を抽出する。
ステップＳ６４では、管理装置６から送信される３通りの回線情報を制御コントローラ４が受信する。
ステップＳ６５では、制御コントローラ４がステップＳ６４で付与された回線情報を記憶し、この回線情報を次回からの管理装置６へのアクセスに用いる設定として設定し、終了する。
【００７８】
＜制御コントローラの通常アクセス＞
制御コントローラ４から管理装置６に通常のアクセスを行う手順について、図１６（ｂ）に記載の図に基づいて説明を行う。
まず、ステップＳ７１として、制御コントローラ４が回線情報を用いて管理装置６にアクセスを行う。この際における詳細は、ステップＳ６２と同様であるため省略する。
【００７９】
ステップＳ７２では、制御コントローラ４から管理装置６に、制御コントローラ４に接続されている複数の空気調和装置３の運転データを送信する（日報の送信）。
ステップＳ７３では、ステップＳ６３と同様に管理装置６が記憶部５２の対応情報に基づいて、アクセスしてきた制御コントローラ４に対応する回線情報を抽出する。ここで、回線情報の修正などが行われている場合には、ステップＳ７４に移行する。回線情報の修正が行われていない場合には、終了する。
【００８０】
ステップＳ７４では、ステップＳ６４と同様に、管理装置６から送信される３通りの回線情報を制御コントローラ４が受信する。
ステップＳ７５では、ステップＳ６５と同様に、制御コントローラ４がステップＳ６４で付与された回線情報を記憶し、この回線情報を次回からの管理装置６へのアクセスに用いる設定として設定し、終了する。
【００８１】
＜特徴＞
（１）
空気調和装置の管理システム１では、制御コントローラ４から管理装置６にアクセスを行う。このアクセスに関する情報である接続情報（初期回線情報及び回線情報）は、初期回線情報が設定ツール８から与えられ、回線情報が管理装置６から与えられる。接続情報は、制御コントローラ４に与えるたびに入力されるのではなく、設定ツール８又は管理装置６のそれぞれの記憶部において、回線名称を介して指定されている。これにより、接続情報を制御コントローラ４に与える際に、接続情報の接続データを誤って与える頻度が抑えられることになる。
【００８２】
特に、接続情報は、図２に記載されているように、プロバイダのアクセスポイントへの電話番号、プロバイダへのログインユーザ名及びログインパスワード、プロバイダのプライマリＤＮＳ及びセカンダリＤＮＳのＩＰアドレス、というように、複数の接続データが含まれている。ログインパスワードなどは無作為な文字列であり、また電話番号やＩＰアドレスなどは１０桁程度の数列であるため、入力の際に注意を払わないと誤入力をするおそれがある。ここでは、回線名称の選択により入力の手間を減らしているため、接続データの誤入力を避けることが可能となっている。
【００８３】
また、設定ツール８又は管理装置６から制御コントローラ４に与える接続情報を接続名称により選択する際に、接続情報の接続データを隠蔽表示している。このため、接続情報の接続データを知られ難くなっている。これにより、接続情報のセキュリティを保つことができる。
ただし、接続情報の全てを隠蔽すると、制御コントローラ４から管理装置６にアクセスできない場合がある。すなわち、制御コントローラ４が内線に接続されている場合には、公衆回線７へ接続するために外線発信番号の設定の必要がある。このような場合に、初期回線情報の電話番号の全てが隠蔽されていると、電話番号の先頭部分に「０」などの外線発信用の番号が付加されているか否かが分からない。ここでは、回線情報詳細設定画面４２において、電話番号の先頭５文字分の表示を行う。これにより、制御コントローラ４から管理装置６への接続ミスを抑えることができる。
【００８４】
（２）
管理装置６では、複数の制御コントローラ４からのアクセスがあるため、それぞれの制御コントローラ４に対して適した回線情報を対応づけている必要がある。ここで、管理装置６の記憶部５２は、制御コントローラ４のそれぞれに対する回線情報として対応情報を記憶している。管理装置６では、編集画面７１において対応情報に基づいた回線情報の表示を行っている。また、回線名称により対応情報の選択が行えるようになっている。これにより、やはり回線情報の接続データのセキュリティを保つことができると共に、回線情報の接続データに誤りが生じることを抑えることができる。
【００８５】
（３）
設定ツール８の使用者は、制御コントローラ４が設置されている物件２において作業するため、セキュリティの意識が高い人物でないおそれもある。このため、設定ツール８では、接続情報（初期回線情報）に対するセキュリティを高く保つ必要がある。ここで、設定ツール８の記憶部１２は、初期回線情報を暗号化して記憶する。このため、設定ツール８の使用者が悪意を有する場合にも、初期設定情報の接続データを知ることが難しくなる。よって、初期回線情報に対するセキュリティを高く保つことができる。
【００８６】
管理装置６又は設定ツール８の記憶部に記憶される接続情報は、入力されたデータとして他から持ってきたり、管理装置６又は設定ツール８において入力を行ったりすることにより設定される。ただし、接続情報のセキュリティを高く保ち、さらに接続情報の接続データに誤りを生じさせることを抑えるために、接続情報の入力を行える人物を限定しておくべきである。このため、管理装置６では、ログインユーザ名により回線情報の入力が可能か否かを判別している。また、設定ツール８では、初期回線情報の設定者が限定されているとしている。
【００８７】
ここで、設定ツール８の入力受付部３１において入力された初期回線情報は、記憶部１２に記憶される際に暗号化部３２により暗号化される。これにより、設定ツール８で追加された初期回線情報についてもセキュリティ的に保護されることになる。
＜他の実施例１＞
本発明に係る空気調和装置の管理システム１では、設定ツール８の制御部１５が実行する設定プログラムに、入力受付部３１及び暗号化部３２を有することが可能であるとしている。
【００８８】
ここで、設定プログラムが入力受付部３１及び暗号化部３２を有しておらず、設定ツール８の制御部１５が実行する別のプログラムである接続情報入力受付プログラムが設けられることが可能であり、この接続情報入力受付プログラムが入力受付部３１及び暗号化部３２を有する（図１７参照）としてもよい。
この場合には、限定される設定者の有する設定ツール８にのみ接続情報入力受付プログラム及び設定プログラムがインストールされており、その他の設定ツール８には設定プログラムのみがインストールされる。そして、接続情報入力受付プログラムは、ステップＳ１１からＳ２２まで（図６参照）が実行される際に設定者による設定入力を受け付けて、初期回線情報の暗号化及び記憶を行う。また、設定プログラムのみがインストールされている設定ツール８に対しては、暗号化された初期回線情報が記憶部１２に何らかの手段で提供され、情報取得部２４が初期回線情報を取得する。その後に、設定ツール８は、ステップＳ１からＳ８まで（図４参照）に従って、制御コントローラ４へ初期回線情報を付与する。
【００８９】
これにより、設定者の設定ツール８のみにおいて初期回線情報の設定入力を受け付けることが可能となるため、初期回線情報の接続データのセキュリティ保護及び接続データの正確度の保持をより高く維持できる。
＜他の実施例２＞
本発明に係る空気調和装置の管理システム１では、設定ツール８の制御部１５が実行する設定プログラムに、入力受付部３１及び暗号化部３２を有することが可能であるとしている。
【００９０】
ここで、設定プログラムが入力受付部３１及び暗号化部３２を有しておらず、別部材である接続情報入力受付ツール１０８の制御部１１５が実行する接続情報入力受付プログラムが入力受付部３１及び暗号化部３２を有している場合に、接続情報入力受付ツール１０８に入力された初期回線情報を設定ツール８に提供することにより、設定ツール８の情報取得部２４が初期回線情報を取得する（図１８参照）としてもよい。
【００９１】
この場合には、接続情報入力受付ツール１０８の接続情報入力受付プログラムは、ステップＳ１１からＳ２２まで（図６参照）が実行される際に設定者による設定入力を受け付けて、初期回線情報の暗号化及び記憶を行う。例えば設定ツール８と接続情報入力受付ツール１０８とが接続される場合、制御部１５の情報取得部２４が接続情報入力受付ツール１０８に設定入力された初期回線情報を取得する。また、設定ツール８と接続情報入力受付ツール１０８とが直接接続を行わない場合には、接続情報入力受付ツール１０８に設定入力された初期回線情報が何らかの手段（例えばフレキシブルディスクやＩＣメモリなどの可搬記憶部材での搬送やネットワークからのダウンロードなど）により提供されることにより、情報取得部２４が初期回線情報を取得する。初期回線情報を取得した設定ツール８は、ステップＳ１からＳ８まで（図４参照）に従って、制御コントローラ４へ初期回線情報を付与することが可能となる。
【００９２】
これにより、設定ツール８が初期回線情報の受付を行うことなく、接続情報入力受付ツール１０８のみにおいて初期回線情報の設定入力を受け付けることが可能となる。よって、設定ツール８が制御コントローラ４への設定のみを行うことになる。このため、限定された設定者のみが接続情報入力受付ツール１０８を利用可能とすることにより、初期回線情報の接続データのセキュリティ保護及び接続データの正確度の保持をより高く維持できる。
【００９３】
【発明の効果】
請求項１に記載の接続情報付与方法では、セキュリティを保ちつつ正確な接続情報を制御システムへ容易に与えることが可能となる。
請求項２に記載の接続情報付与方法では、セキュリティを保ちつつ正確な接続情報を制御システムへ与えることがより確実に行える。
【００９４】
請求項３に記載の設定ツールでは、セキュリティを保ちつつ正確な接続情報を制御システムへ容易に与えることが可能となる。
請求項４に記載の設定ツールでは、セキュリティを保ちつつ正確な接続情報を制御システムへ与えることがより確実に行える。
請求項５に記載の設定ツールでは、セキュリティを保ちつつ正確且つ制御システムに相応しい接続情報を制御システムに与えることができる。
【００９５】
請求項６に記載の設定ツールでは、セキュリティを保ちつつ接続情報を制御システムに与えることが可能となる。
請求項７に記載の設定ツールでは、不適切な接続情報を制御システムに与えるおそれを抑えることができる。
請求項８に記載の設定ツールでは、接続情報に誤った情報が含まれるおそれが抑えられる。
【００９６】
請求項９に記載の設定ツールでは、セキュリティを十分高く保つことができる。
請求項１０に記載の設定ツールでは、セキュリティをより高く保つことができる。
請求項１１に記載の設定ツールでは、誤った接続情報が含まれるおそれが抑えられる。
【００９７】
請求項１２に記載の設定ツールでは、セキュリティを十分高く保つことができる。
請求項１３に記載の管理装置では、セキュリティを保ちつつ正確な接続情報を制御システムへ容易に与えることが可能となる。
請求項１４に記載の管理装置では、セキュリティを保ちつつ正確な接続情報を制御システムへ与えることがより確実に行える。
【００９８】
請求項１５に記載の管理装置では、セキュリティを保ちつつ正確且つ制御システムに相応しい接続情報を制御システムに与えることができる。
請求項１６に記載の管理装置では、接続情報に誤った情報が含まれるおそれが抑えられる。
請求項１７に記載の管理装置では、対応データに基づいて制御システムに応じた適切な制御情報を与えることが可能となる。
【図面の簡単な説明】
【図１】空気調和装置の管理システムの概要図。
【図２】接続情報の接続データの例。
【図３】設定ツールのうち、初期回線情報の付与に関する構成図。
【図４】設定ツールにおいて、初期回線情報が選択されて制御コントローラへ付与する手順を示すフローチャート。
【図５】設定ツールの回線情報詳細設定画面の一例。
【図６】設定ツールにおいて、初期回線情報の設定入力を受け付ける手順を示すフローチャート。
【図７】設定ツールの設定入力メイン画面の一例。
【図８】設定ツールの設定入力画面の一例。
【図９】管理装置のうち、回線情報の付与に関する構成図。
【図１０】管理装置において、制御コントローラに対応する回線設定の選択を受け付ける手順を示すフローチャート。
【図１１】管理装置の編集画面の一例。
【図１２】管理装置において、回線設定の新規登録の受付、及び回線情報の有効／無効設定の手順を示すフローチャート。
【図１３】管理装置の情報表示画面の一例。
【図１４】管理装置の新規登録画面の一例。
【図１５】管理装置の回線設定画面の一例。
【図１６】制御コントローラから管理装置へのアクセスの手順。（ａ）初期アクセス。（ｂ）通常アクセス。
【図１７】他の実施例１における設定ツールの構成図の一例。
【図１８】他の実施例２における設定ツール及び接続情報入力受付ツールの構成図の一例。
【符号の説明】
１  管理システム
４  制御コントローラ
６  管理装置
８  設定ツール
１１  入力部
１２  記憶部
１３  表示部
１４  接続部
１５  制御部
２１  選択受付部
２２  復号化部
２３  情報付与部
３１  入力受付部
３２  暗号化部
５１  入力部
５２  記憶部
５４  通信部
５５  制御部
６１  選択受付部
６２  情報付与部
６３  認証部
６４  入力受付部
【図１】
2004199457.tif 000003
【図２】
2004199457.tif 000004
【図３】
2004199457.tif 000005
【図４】
2004199457.tif 000006
【図５】
2004199457.tif 000007
【図６】
2004199457.tif 000008
【図７】
2004199457.tif 000009
【図８】
2004199457.tif 000010
【図９】
2004199457.tif 000011
【図１０】
2004199457.tif 000012
【図１１】
2004199457.tif 000013
【図１２】
2004199457.tif 000014
【図１３】
2004199457.tif 000015
【図１４】
2004199457.tif 000016
【図１５】
2004199457.tif 000017
【図１６】
2004199457.tif 000018
【図１７】
2004199457.tif 000019
【図１８】
2004199457.tif 000020